(57)【要約】【課題】使い勝手の良い、かつ信頼性の高い炊飯器を提供する。【解決手段】内釜１４を収納する本体部１１および内釜１４の上部開口を開閉する蓋体１２を備えた炊飯ユニット１０と、内釜１４を加熱する加熱部２１を有するとともに炊飯ユニット１０を着脱自在に支持する加熱ユニット２０と、を備え、炊飯ユニット１０には、内釜１４を収容する内釜収容部３２と加熱部２１に載置される本体部１１下面の両方を貫通した貫通孔１１ｆと、貫通孔１１ｆを塞ぎ内釜１４下面に接触可能な伝熱板３８とを設け、加熱ユニット２０には、貫通孔１１ｆに挿入される突起部２１ｃと、突起部２１ｃの上端側から突出し内釜１４の温度を測定する温度センサ２５とを設け、炊飯ユニット１０を加熱ユニット２０の加熱部２１に載置した時に、温度センサ２５は伝熱板３８に接触して内釜１４の温度を検出するものである。【選択図】図８
2015231451.tif 000002
【特許請求の範囲】
【請求項１】
内釜を収納する本体部および前記内釜の上部開口を開閉する蓋体を備えた炊飯ユニットと、
前記内釜を加熱する加熱部を有するとともに前記炊飯ユニットを着脱自在に支持する加熱ユニットと、を備え、
前記炊飯ユニットには、前記内釜を収容する内釜収容部と前記加熱部に載置される前記本体部下面の両方を貫通した貫通孔と、該貫通孔を塞ぎ前記内釜下面に接触可能な伝熱板とを設け、
前記加熱ユニットには、前記貫通孔に挿入される突起部と、該突起部の上端側から突出し前記内釜の温度を測定する温度センサとを設け、
前記炊飯ユニットを前記加熱ユニットの前記加熱部に載置した時に、前記温度センサは前記伝熱板に接触して前記内釜の温度を検出することを特徴とする炊飯器。
【発明の詳細な説明】
【技術分野】
【０００１】
本発明は、炊飯器に関する。
【背景技術】
【０００２】
釜を収納する部分と釜を加熱する部分とが分離可能な従来の炊飯器としては、電源に接続された加熱ユニット上に、釜を収納する炊飯ユニットを載せて炊飯し、炊飯終了後は炊飯ユニットを加熱ユニットから取り外して、炊飯ユニットのみを持ち運ぶことができるものが種々提案されている（例えば、特許文献１参照）。
【先行技術文献】
【特許文献】
【０００３】
【特許文献１】特開２０００−４１８３８号公報
【発明の概要】
【発明が解決しようとする課題】
【０００４】
しかしながら、特許文献１に記載の炊飯器では、保温容器の内体の底部中央は、上方に凸部を形成し、該凸部によって内鍋を収納した時に内鍋の底部を支持し、前記凸部を介して内鍋の底部の温度を検出する。また、内鍋は前記凸部に載置し、内鍋のフランジ部は保温容器と蓋ユニットにて挟み、内鍋の上端側開口段部は内蓋によって覆われている。
【０００５】
そのため、内蓋の深さ方向の寸法誤差や凸部の寸法誤差などが吸収できない構造になっているため、凸部が内鍋の底部に接触しない課題が発生することが考えられる。
【０００６】
本発明の目的は、使い勝手の良い、かつ信頼性の高い炊飯器を提供することにある。
【課題を解決するための手段】
【０００７】
上記目的は、例えば特許請求の範囲に記載された構成により達成される。
【発明の効果】
【０００８】
本発明によれば、使い勝手の良い、かつ信頼性の高い炊飯器を提供できる。
【図面の簡単な説明】
【０００９】
【図１】本実施形態に係る炊飯器を示す外観斜視図である。
【図２】炊飯器の蓋体を開けた状態を示す斜視図である。
【図３】炊飯ユニットを下側から見上げた状態を示す斜視図である。
【図４】炊飯ユニットを加熱ユニットから取り外した状態を示す斜視図である。
【図５】炊飯ユニットを加熱ユニットから取り外した状態を示す側面図である。
【図６】炊飯ユニットを加熱ユニットに載置した状態を示す側面図である。
【図７】炊飯器を示す平面図である。
【図８】図４のＩ−Ｉ線矢視断面図である。
【図９】図７のＩＩ−ＩＩ線矢視断面図である。
【図１０】炊飯器の蓋体を全開した状態を示す側面図である。
【図１１】炊飯器の蓋体を全開した状態を示す平面図である。
【図１２】図６のＩＩＩ−ＩＩＩ線矢視断面図である。
【図１３】断熱材の形状を示す斜視図である。
【図１４】突起部による作用効果を説明する図である。
【図１５】炊飯ユニットをテーブルに置いたときの作用効果を説明する図である。
【図１６】変形例に係る炊飯器を示す断面図である。
【図１７】炊飯後の炊飯ユニットを取り外したときの作用効果を説明する図である。
【発明を実施するための形態】
【００１０】
次に、本発明の実施形態に係る炊飯器について、適宜図面を参照しながら詳細に説明する。なお、本実施形態では、内釜を加熱する加熱手段として電磁誘導式のものを例に挙げて説明するが、電気ヒータなどの別の加熱手段を適用することもできる。
【００１１】
図１は、本実施形態に係る炊飯器を示す外観斜視図である。
【００１２】
図１に示すように、炊飯器１は、炊飯ユニット１０と加熱ユニット２０とを備えて構成されている。
【００１３】
炊飯ユニット１０は、本体部１１と、この本体部１１の上部を覆う蓋体１２と、ハンドル１３と、を備えて構成されている。本体部１１と蓋体１２とで構成される外観は、おひつを模した形状を呈している。蓋体１２には、本体部１１と蓋体１２とのロックおよびロック解除を行う操作スイッチ１２ｃが設けられている。なお、図示していないが、蓋体１２には、蓋体１２を開方向に付勢する付勢部材が設けられていてもよい。
【００１４】
加熱ユニット２０は、略円錐台形状を呈する加熱部２１を有し、この加熱部２１の上面に炊飯ユニット１０が載置されるように構成されている。このように加熱部２１を略円錐台形状とすることにより、炊飯ユニット１０を安定して支持することができる。
【００１５】
また、加熱ユニット２０は、加熱部２１の正面（前面）に、周面に沿って操作パネル２２が設けられている。操作パネル２２は、各種設定を行うスイッチ類２２ａ、運転状態などを表示する表示部２２ｂなどを備えている。また、加熱ユニット２０は、加熱部２１の後方に、略四角箱形状を呈する制御回路収容部２３が設けられている。この制御回路収容部２３から電源コード２４が引き出されている。
【００１６】
図２は、炊飯器の蓋体を開けた状態を示す斜視図である。
【００１７】
図２に示すように、炊飯ユニット１０（図１参照）の本体部１１には、有底円筒状の内釜１４（釜）が収容されている。内釜１４は、例えば、鉄などの強磁性金属を含む磁性金属と非磁性金属の複合材で形成され、上部開口１４ａの全周にフランジ部１４ｂを有している。また、内釜１４は、内釜収容部３２（図８参照）に着脱可能に収容されている。
【００１８】
蓋体１２は、内釜１４の上部開口１４ａを開閉するものであり、外蓋１２ａと内蓋１２ｂとで構成されている。また、蓋体１２は、本体部１１の後端部において、ヒンジ部１２ｄ（回動軸）を介して回動自在に支持されている。ヒンジ部１２ｄは、本体部１１の平面視円形状の内側に位置するように配置されている。
【００１９】
外蓋１２ａは、略円盤形状を呈し、下面に内蓋１２ｂを収容する凹部１２ａ１を有している。また、外蓋１２ａの前端には、上面から側面にかけてＬ字状に形成された操作スイッチ１２ｃが取り付けられている。操作スイッチ１２ｃには、後記するロック部材１２ｅと係合してロックする爪部１２ｃ１が設けられている。
【００２０】
内蓋１２ｂは、外周縁部の全体にわたってパッキン１２ｂ１が取り付けられており、蓋体１２を閉じたときに、内釜１４の上部開口１４ａを覆い、内釜１４の内部を略密閉状態に保つようになっている。
【００２１】
本体部１１は、略円柱形状を呈し、内釜１４を収容する内釜収容部３２（図８参照）を有している。また、本体部１１には、内釜１４の外周に沿って延在する略環状の縁部１１ａが形成されている。この縁部１１ａの幅は、前端部１１ａ１が最も狭く形成され、左右両側から後端部１１ａ２に向けて徐々に広くなり、後端部１１ａ２が最も広くなるように構成されている。
【００２２】
また、縁部１１ａの前端部１１ａ１には、操作スイッチ１２ｃと係合してロックするロック部材１２ｅが設けられている。なお、ロック部材１２ｅは、公知の方法によって構成することができる。
【００２３】
ヒンジ部１２ｄは、縁部１１ａの後端部１１ａ２の幅内に略収まるように構成されている。これにより、蓋体１２を閉じたときに、円柱形状を呈する炊飯ユニット１０の周面からヒンジ部１２ｄが突出しないようになっている。
【００２４】
図３は、炊飯ユニットを下側から見上げた状態を示す斜視図である。
【００２５】
図３に示すように、本体部１１の下面には、凹部１１ｂが形成されている。この凹部１１ｂの直径は、本体部１１の直径よりも短く形成され、凹部１１ｂの周囲に環状の支持部１１ｃが形成されている。
【００２６】
支持部１１ｃの幅は、前記した縁部１１ａと同様に、前端部１１ｃ１が最も狭く形成され、左右両側から後端部１１ｃ２に向けて徐々に広くなり、後端部１１ｃ２が最も広くなるように構成されている。なお、支持部１１ｃの複数個所（本実施形態で４箇所）には、ゴム製の滑り止め部材１１ｄが嵌め込まれ、炊飯ユニット１０のテーブルに載置したときの滑りを防止している。
【００２７】
また、凹部１１ｂの天井板１１ｅのほぼ中心部には、上下方向に貫通する円形の貫通孔１１ｆが形成されている。なお、この貫通孔１１ｆは、伝熱板３８によって閉塞されている。なお、伝熱板３８の詳細な形状については後記する。
【００２８】
また、凹部１１ｂは、上方に向けて縮径するように、円錐台形状の空間Ｓ１０を有している。また、凹部１１ｂの側面（周面）には、径方向外側に向けて凸となる位置決め凹部１１ｇが形成されている。この位置決め凹部１１ｇは、炊飯ユニット１０と加熱ユニット２０との取付方向を決めるものである。なお、本実施形態では、凹部１１ｂが後方に向けて凸となる場合を例に挙げて説明しているが、後方に限定されるものではなく、前方や側方など他の方向に向けて凸となるように構成してもよい。また、位置決め凹部１１ｇについては、１箇所に限定されるものではなく、複数箇所に設けてもよい。
【００２９】
また、本体部１１の背面（後面）には、後方に向けて突出するハンドル支持板１１ｈが設けられている。このハンドル支持板１１ｈは、略三日月板状に形成され、ハンドル１３が後ろ向きの水平位置で支持される高さ位置に取り付けられている。なお、ハンドル１３は、その両端部が本体部１１の左右側面側に回動自在に支持されており、前向きから後向きまでの範囲で回動するように構成されている。
【００３０】
図４は、炊飯ユニットを加熱ユニットから取り外した状態を示す斜視図、図５は、炊飯ユニットを加熱ユニットから取り外した状態を示す側面図である。
【００３１】
図４および図５に示すように、炊飯ユニット１０を上方に持ち上げることで、炊飯ユニット１０を加熱ユニット２０から取り外すことができるようになっている。このように、本実施形態の炊飯器１では、炊飯後に、炊飯ユニット１０のみを取り外してテーブル（食卓）に置くことができるようになっている。
【００３２】
加熱ユニット２０は、加熱部２１の上面に略円錐台形状の凸部２１ａを有している。この凸部２１ａは、前記した凹部１１ｂの空間Ｓ１０（図３参照）の内面に沿う形状である。この凸部２１ａの上面２１ｂの中央には、略円筒形状の突起部２１ｃが形成されている。この突起部２１ｃの円筒の内側には、温度センサ２５が挿通され、突起部２１ｃの上部開口２１ｅから温度センサ２５の上端部（上端面）が突出している。
【００３３】
また、凸部２１ａの側面（周面）には、径方向外側に向けて突出する位置決め凸部２１ｄが形成されている。この位置決め凸部２１ｄが、本体部１１の位置決め凹部１１ｇ（図３参照）と嵌合することにより、炊飯ユニット１０と加熱ユニット２０との取付方向が決定される。すなわち、ヒンジ部１２ｄ（図２参照）が後端（奥側）に位置した状態で炊飯ユニット１０が加熱ユニット２０上に載置される。なお、位置決め凸部２１ｄについても、前記した位置決め凹部１１ｇと対応するように、前方や側方など他の方向に凸となるように構成してもよい。
【００３４】
また、凸部２１ａの周囲には、炊飯ユニット１０の支持部１１ｃ（図３参照）が当接する環状の当接面２１ｆが形成されている。この当接面２１ｆについても、支持部１１ｃと同様に、前端部２１ｆ１が最も狭く形成され、左右両側から後端部２１ｆ２に向けて徐々に広くなり、後端部２１ｆ２が最も広くなるように構成されている。
【００３５】
制御回路収容部２３は、略四角箱形状を呈し、加熱部２１の後方に設けられている。また、制御回路収容部２３は、本体部１１の曲面（周面）に沿うように湾曲した湾曲面２３ａ（図４参照）を有している。また、制御回路収容部２３の上面２３ｂは、加熱部２１の上面２１ｂよりも上側に位置している。
【００３６】
図６は、炊飯ユニットを加熱ユニットに載置した状態を示す側面図である。
【００３７】
図６に示すように、制御回路収容部２３の上面２３ｂは、支持板１１ｈの下方に位置している。また、上面２３ｂは、支持板１１ｈの下面と若干の隙間を有して配置されている。このように、制御回路収容部２３を高くすることで、炊飯ユニット１０を加熱ユニット２０にセットする際のガイド部材として機能させることができ、炊飯ユニット１０を加熱ユニット２０にセットすることが容易になる。また、制御回路収容部２３を高くすることで、制御回路２３ｃ（図８参照）を収容する空間を後方に向けて過度に突出させるのを防止できる。また、ハンドル１３が支持板１１ｈによって制御回路収容部２３の上方で支持されるので、炊飯ユニット１０を加熱ユニット２０に載置する際に、ハンドル１３が邪魔になることがない。
【００３８】
また、加熱ユニット２０の下面には、複数の脚部２６が設けられ、これらの脚部２６によって加熱ユニット２０を支持している。また、加熱ユニット２０の側面下部には、吸気口２９が形成されている。なお、図示省略しているが、吸気口２９とは左右反対側の加熱ユニット２０の側面下部には、排気口が設けられている。
【００３９】
図７は、炊飯器を示す平面図である。
【００４０】
図７に示すように、制御回路収容部２３の外周面２３ｓは、湾曲して形成され、周方向の中央部が、炊飯器１の最も後ろ側に位置する端部２３ｅ（最外部）となるように構成されている。
【００４１】
支持板１１ｈは、平面視において三日月状に形成され、支持板１１ｈの先端（後端）にハンドル１３の一部が当接することで支持されている。このように構成することにより、支持板１１ｈの本体部１１からの突出量を少なくすることができる。
【００４２】
炊飯ユニット１０を加熱ユニット２０に載置したときには、操作パネル２２の操作面が炊飯ユニット１０から外側に突出するとともに斜め上向きとなるように構成されている。これにより、炊飯器１が低い場所に置かれ、炊飯器１を見下ろす状態であっても、操作パネル２２の操作性および視認性を向上できる。
【００４３】
図８は、図４のＩ−Ｉ線矢視断面図である。なお、図８では、一部を簡略化（断面の奥側に見える一部分を省略）して図示している。
【００４４】
図８に示すように、本体部１１は、外郭を構成する有底円筒形状の胴体部３１と、内釜１４を収容する内釜収容部３２と、内釜収容部３２の周囲に巻回される断熱材３３と、を含んで構成されている。なお、内釜収容部３２は、耐熱性を有する合成樹脂などで形成されている。
【００４５】
凹部１１ｂの天井板１１ｅに形成された貫通孔１１ｆは、略円筒形状であり、内釜収容部３２の底部３２ａを貫通して内釜１４側に露出している。また、貫通孔１１ｆには、貫通孔１１ｆを閉塞する伝熱板３８が取り付けられている。
【００４６】
伝熱板３８は、アルミニウム合金などで断面視凹状に形成され、貫通孔１１ｆの上側から被せられることで開口１１ｆ１が閉塞されている。また、伝熱板３８は、貫通孔１１ｆの円筒に外冠され、径方向外側に突出するフランジ部３８ａによって抜け止めされている。また、伝熱板３８が上下方向に可動できるような空間が形成され、バネ（図示無し）などによって内釜１４側に付勢している。
【００４７】
また、貫通孔１１ｆの下部（突起部２１ｃの入口側）は、下方に向けて貫通孔１１ｆの径が広がる形状になっているので、突起部２１ｃを貫通孔１１ｆ内に容易に案内することができ、炊飯ユニット１０を加熱ユニット２０に載置することが容易になる。
【００４８】
内釜収容部３２は、有底円筒形状を呈し、内釜収容部３２の底部３２ａが凹部１１ｂの天井板１１ｅの内面（上面）に固定されている。底部３２ａの径方向の中心からは、伝熱板３８の上面が内釜１４側に突出している。
【００４９】
内釜１４の底部１４ｃは、中央部に上方に隆起した隆起部１４ｄを有している。隆起部１４ｄは、中央部が最も高く、径方向外側に向けてなだらかな曲面となるように構成されている。隆起部１４ｄの中央部の下面には、伝熱板３８が接触する。このように伝熱板３８を設けて貫通孔１１ｆを塞ぐことにより、内釜１４の熱が貫通孔１１ｆを通して下方に逃げるのを防止できる。
【００５０】
断熱材３３は、真空断熱材で構成され、内釜収容部３２の周囲全体を囲むように構成されている。また、断熱材３３は、例えば、ガラス繊維を金属箔で挟み込み、内部を真空引きして構成したものである。このような断熱材３３を適用することにより、炊飯器１を軽量化でき、炊飯ユニット１０を持ち運ぶ際の運搬性を向上できる。また、断熱材３３を設けることにより、炊飯後の熱が外部に逃げにくくなり、保温性能を向上できる。なお、断熱材３３に替えて真空容器を適用してもよい。
【００５１】
内蓋１２ｂは、内釜１４の内部の蒸気の排出を制限して所定圧力に保つ調圧弁１２ｂ２を有している。調圧弁１２ｂ２を通過した蒸気は、蒸気通路１２ｂ３を通って、蓋体１２（外蓋１２ａ）に設けられた蒸気口１２ｂ４から炊飯器１の外部に排出される。
【００５２】
操作スイッチ１２ｃは、軸１２ｆを支点としてＷ方向に回動可能であり、操作スイッチ１２ｃをＷ１方向に付勢する付勢部材１２ｆ１が設けられている。蓋体１２を開ける場合には、操作スイッチ１２ｃの上面を押圧することにより、操作スイッチ１２ｃが軸１２ｆを支点としてＷ２方向に回動することで蓋体１２のロックが解除される。また、蓋体１２を閉める場合には、蓋体１２を本体部１１側に向けて押し込むことにより、蓋体１２がＷ１方向に回動して本体部１１にロックされる。
【００５３】
また、本体部１１の内部には、炊飯ユニット１０の位置検出用の磁石１６が設けられている。この磁石１６は、胴体部３１の後端の内壁面に固定されている。
【００５４】
加熱部２１には、凸部２１ａの上面２１ｂの下面（内面）に加熱コイル２７が設けられている。この加熱コイル２７は、例えば、リッツ線を巻回して平面環状に構成されている。また、加熱コイル２７は、コイル保持部２８上に載置されている。
【００５５】
温度センサ２５は、円柱形状を呈し、軸方向（上下方向）の中間部につば部２５ａが形成されている。つば部２５ａと、加熱部２１内に形成された受け部２１ｇとの間にコイルばね３９が介装され、このコイルばね３９の付勢力によって、温度センサ２５を上方（上部開口２１ｅから突出させる方向）に付勢している。
【００５６】
制御回路収容部２３の内部には、制御回路２３ｃが収容されている。この制御回路２３ｃは、基板に加熱コイル２７に電力を供給するインバータ制御回路などを備えて構成されている。また、制御回路２３ｃは、温度センサ２５が検出した温度情報や制御プログラムに応じて、加熱コイル２７へ供給する電力を制御する。
【００５７】
また、制御回路２３ｃには、炊飯ユニット１０側の磁石１６の磁気を検出する検出部２３ｄが設けられている。この検出部２３ｄは、例えば、ホール素子で構成され、位置決め凹部１１ｇと凸部２１ｄとが嵌まり合う状態で炊飯ユニット１０が加熱ユニット２０に載置された場合に磁石１６と対向するようになっている。この磁石１６と検出部２３ｄとが対向することで、炊飯ユニット１０が加熱ユニット２０の所定位置に載置されていることが制御回路２３ｃによって検知され、このような状態の場合のみ炊飯器１が作動するようになっている。
【００５８】
また、磁石１６の強さや極性を変えることで、検出部２３ｄの検出信号を異ならせることで、加熱ユニット２０側で炊飯ユニット１０側の違いを検出し、検出信号の違いに対応したプログラムを動作できるようにすることで、加熱ユニット２０を共用化して異なる仕様の炊飯器１を提供することができる。
【００５９】
さらに、磁石１６の取り付け位置を異ならせて配置し、同様に検出部２３ｄ（リードスイッチ）を前記位置に対応して複数個を配置し、どの位置に配置した検出部２３ｄが磁石１６を検知したからによって仕様を変更することも可能である。
【００６０】
加熱ユニット２０は、制御回路収容部２３内の空間Ｒ１と加熱部２１内の空間Ｒ２とが互いに連通して、冷却風路を構成している。この空間Ｒ１と空間Ｒ２とにまたがるように冷却ファン４０が配置されている。炊飯時に冷却ファン４０が作動すると、吸気口２９（図４参照）から吸気された空気が、白抜き矢印で示す方向に流れることで、制御回路２３ｃおよび加熱コイル２７が冷却されるようになっている。冷却後の空気は、加熱ユニット２０に設けられた図示しない排気口から外部に排出される。
【００６１】
なお、本実施形態では、制御回路収容部２３には、空間Ｒ１と連通する孔が形成されていないので、仮に加熱部２１や制御回路収容部２３に対して上方から水などの液体が降りかかったとしても、制御回路２３ｃに不具合を生じさせることがない。なお、突起部２１ｃの上面開口２１ｅについては、加熱部２１の空間内において加熱コイル２７側の空間と遮断されている。
【００６２】
図９は、図７のＩＩ−ＩＩ線矢視断面図である。
【００６３】
図９に示すように、炊飯ユニット１０を加熱ユニット２０に載置すると、加熱部２１の凸部２１ａが本体部１１の凹部１１ｂと嵌合することで、炊飯ユニット１０が傾くことなく、加熱ユニットに載置される。また、凹部１１ｂの周囲の支持部１１ｃが凸部２１ａの周囲の当接面２１ｆに当接することで、炊飯ユニット１０が加熱ユニット２０に支持される。このとき、温度センサ２５が突起部２１ｃの上端側の上面開口２１ｅから突出するように、コイルばね３９によって付勢されているので、温度センサ２５の上面を伝熱板３８の下面に密着させることができる。また、伝熱板３８は、内釜１４に密着しているので、温度センサ２５によって、内釜１４の温度、換言するとご飯の温度を精度よく検出することができる。
【００６４】
また、本体部１１の凹部１１ｂの空間Ｓ１０（図３参照）と加熱部２１の凸部２１ａとが略円錐台形状に形成されているので、凸部２１ａを凹部１１ｂに挿入し易くなり、炊飯ユニット１０を加熱ユニット２０に載置し易くなる。
【００６５】
図１０は、炊飯器の蓋体を開けた状態を示す側面図、図１１は、炊飯器の蓋体を開けた状態を示す平面図である。なお、図１０および図１１は、蓋体を全開したときの状態である。
【００６６】
図１０および図１１に示すように、炊飯器１では、蓋体１２を全開にしたときに、蓋体１２が制御回路収容部２３の端部２３ｅよりも内方（内釜１４側）に位置するように構成されている。また、炊飯器１は、蓋体１２を全開にしたときに、図１０に示す側面視および図１１に示す平面視において、蓋体１２が制御回路収容部２３の端部２３ｅ（後端部、最外周の端部）よりも内方している。
【００６７】
図１１に示すように、制御回路収容部２３の外周面２３ｓ（最外部）は、後ろ向きに凸形状となる円弧であり、蓋体１２が全開時であっても、蓋体１２は外周面２３ｓを含む円弧Ｒ１０の範囲内に収まるようになっている。これにより、炊飯器１の外周面２３ｓと壁面Ｍとが接するように配置されたとしても、蓋体１２を開けたときに蓋体１２が壁面Ｍに当たることがない。
【００６８】
図１２は、図６のＩＩＩ−ＩＩＩ線矢視断面図である。なお、図１２では、内釜１４の中心をＯ１で示し、断熱材３３の中心をＯ２で示している。
【００６９】
図１２に示すように、断熱材３３は、内釜１４の周囲に円形に配置されている。また、断熱材３３の中心Ｏ２は、内釜１４の中心Ｏ１に対して後方に偏心して配置されている。すなわち、前端における内釜１４と断熱材３３との間隔Ｓ１が最も狭く、後端における内釜１４と断熱材３３との間隔Ｓ２が最も広く、前端から後端に向けて徐々に間隔が広くなっている。このように後ろ側が広くなっているのは、ヒンジ部１２ｄが設けられていることによる。よって、断熱材３３を後ろ側の幅に合わせて全体を間隔Ｓ２で配置するよりも、断熱材３３を内釜１４に対して偏心して配置することで、炊飯ユニット１０の外形を小さくすることができ、炊飯器１の小型化を図ることができる。
【００７０】
ところで、本実施形態では、偏心させることで内釜１４の前方の隙間が狭くなり、また前端にロック部材１２ｅが配置されているので、断熱材３３を単に筒状に巻くだけでは、断熱材３３がロック部材１２ｅと干渉して、内釜１４の周囲に断熱材３３を巻くことができない。そこで、本実施形態では、図１３に示すように、帯状に形成された断熱材３３の両端の対応する角部を予め斜めに切り欠くことで、断熱材３３を筒状に曲げて両端を重ねたときに、三角形状の切欠部３３ａが形成される。この切欠部３３ａをロック部材１２ｅの位置に合わせて巻くことにより、断熱材３３を内釜１４の周囲にロック部材１２ｅと干渉せずに筒状（リング状）に巻くことができる。
【００７１】
以上説明したように、本実施形態の炊飯器１では、炊飯ユニット１０を加熱ユニット２０に載置して蓋体１２を全開したときに、蓋体１２が制御回路収容部２３の端部２３ｅに対して内方に位置している。これによれば、制御回路収容部２３の後方に壁面Ｍが配置されている場所に炊飯器１を配置した場合であっても、蓋体１２が壁面Ｍに当たることがないので、炊飯ユニット１０が位置ずれするのを防止できる（図１０および図１１参照）。
【００７２】
また、本実施形態では、制御回路２３ｃを加熱部２１側（加熱コイル２７の下方）ではなく、加熱部２１とは別の制御回路収容部２３に設けたので、加熱部２１の高さ寸法Ｈ（図５参照）を低く抑えることができ、炊飯ユニット１０の設置位置を低くすることができる。これにより、炊飯ユニット１０を加熱ユニット２０から取り外す際に、炊飯ユニット１０を加熱ユニット２０に対して高く持ち上げる必要がないので、炊飯ユニット１０を着脱する際の取り扱い性を向上させることができる。
【００７３】
また、本実施形態では、制御回路収容部２３に本体部１１の周面に沿う湾曲面２３ａを形成したことで、制御回路収容部２３を、炊飯ユニット１０を加熱ユニット２０に載置する際のガイド部として機能させることができ、炊飯ユニット１０を加熱ユニット２０にセットすることが容易になる。
【００７４】
また、本実施形態では、加熱部２１の上面２１ｂに突起部２１ｃが形成され、炊飯ユニット１０の下面に突起部２１ｃが挿入される貫通孔１１ｆが形成されている。これによれば、図１４に示すように、加熱ユニット２０の加熱部２１に例えば鍋などの別の調理器具１００が載せられたとしても、調理器具１００の底面１００ａが突起部２１ｃに当たり、調理器具１００を加熱部２１に安定して載せることができない。また、視覚的に誰が見ても鍋などの調理器具１００を載置出来ないことが分かるようにしている。これによって、利用者に対して別の調理器具を載せるのを断念させることができ、加熱ユニット２０を不適切な使用形態で利用されるのを防止できる。
【００７５】
また、本実施形態では、炊飯ユニット１０に貫通孔１１ｆを閉塞する伝熱板３８が設けられている。これによれば、加熱コイル２７および制御回路２３ｃを冷却する冷却ファン４０による冷却風が、伝熱板３８によって内釜１４に流れ込むのを防止できるので、換言すると、伝熱板３８によって、加熱コイル２７および制御回路２３ｃを収容する空間が閉空間となるので、冷却風によって内釜１４が冷えるのを防止できる。
【００７６】
また、本実施形態では、貫通孔１１ｆを閉塞する伝熱板３８を設けることで、図１５に示すように、炊飯ユニット１０をテーブルＴに置いたときに、内釜１４の熱が貫通孔１１ｆを通してテーブルＴ側に流れるのを防止することができ、テーブルＴが高熱にさらされるのを防止できる。例えば、テーブルＴにビニールクロスが掛けられていた場合、ビニールクロスが変形するといった不都合を防止できる。
【００７７】
また、本実施形態では、加熱ユニット２０に内釜１４の温度を検出する温度センサ２５が設けられ、この温度センサ２５が突起部２１ｃに配置されている。これによれば、温度センサ２５の凸形状と突起部２１ｃの凸形状とを１箇所にまとめることができるので、炊飯器１の構造を簡略化することができる。
【００７８】
また、本実施形態では、炊飯ユニット１０に磁石１６が設けられ、加熱ユニット２０に磁石１６の磁気を検出する検出部２３ｄが設けられている。これによれば、炊飯ユニット１０を加熱ユニット２０から取り外した場合には、検出部２３ｄによって磁石１６の磁気を検出することができなくなるので、炊飯ユニット１０が加熱ユニット２０に置かれていない場合には、加熱ユニット２０（加熱コイル２７）を作動しないようにできる。
【００７９】
ところで、炊飯後の加熱部２１の上面２１ｂと対向する凹部１１ｂの天井板１１ｅは高温になるので、凹部１１ｂの天井板１１ｅがテーブルＴに直接接触すると、テーブルＴが高温に曝されることになり、テーブルＴが傷む原因となるそこで、本実施形態では、本体部１１の下面に加熱部２１が挿入される凹部１１ｂを設けることで、図１５に示すように、炊飯後の炊飯ユニット１０をテーブルＴに置いたときに、テーブルＴと炊飯ユニット１０の天井板１１ｅとの間に隙間（空間Ｓ１０）を形成できるので、高温の天井板１１ｅがテーブルＴに直接接触しなくなり、テーブルＴが高温の熱に曝されるのを防止することができる。例えば、テーブルＴ上にビニールクロスが掛けられていた場合、ビニールクロスが変形するといった不都合を防止できる。
【００８０】
以上、本発明の実施形態について説明したが、本発明は前記した実施形態に限定されず、種々の形態で実施することができる。なお、本実施形態では、制御回路収容部２３が略四角箱型に形成された場合を例に挙げて説明したが、蓋体１２を全開にしたときに、蓋体１２が壁面Ｍに当たらない構成であれば、例えば、制御回路収容部２３を炊飯ユニット１０の周囲全体を囲むように環状に設ける構成であってもよい。また、本実施形態では、制御回路収容部２３の上面２３ｂが加熱部２１の上面２１ｂよりも上側に位置する場合を例に挙げて説明したが、制御回路２３ｃを収容でき、かつ、蓋体１２が壁面Ｍに当たらない構成であれば、制御回路収容部２３の上面２３ｂが加熱部２１の上面２３ｂよりも下側に位置するものであってもよい。
【００８１】
また、本実施形態では、磁石１６を本体部１１の内壁面に配置し、検出部２３ｄを制御回路収容部２３内に配置した場合を例に挙げて説明したが、図１６に示すように、磁石１６を本体部１１の底面に配置し、検出部２３ｄを加熱部２１の内壁上面に配置する構成であってもよく、適宜変更することができる。
【００８２】
また、本実施形態では、伝熱板３８を備えた炊飯器１を例に挙げて説明したが、伝熱板３８を備えない炊飯器であってもよい。
【００８３】
また、伝熱板３８を内釜１４側に付勢しないで貫通孔１１ｆを自由に上下に移動できる構成とした炊飯ユニット１０を加熱ユニット２０に載置した時、加熱ユニット２０に設けた突起部２１ｃと突起部２１ｃの先端に設けられた温度センサ２５によって伝熱板３８を内釜１４の底部１４ｃ側に押し当てることで、内釜１４の底部１４ｃ側に伝熱板３８が付勢し、その伝熱板３８側に温度センサ２５が付勢することで内釜１４の温度を検出でき、炊飯ユニット１０を加熱ユニット２０から取り外した時は、伝熱板３８を内釜１４の底部１４ｃ側に押し当てる外力が無くなり、伝熱板３８は下方に移動（降下）して内釜１４の底部１４ｃと離れ、底部１４ｃと伝熱板３８との間に空気層を形成することで、内釜１４から伝熱板３８への熱伝達を悪くして、内釜１４のご飯の保温性を更に良くすることも可能である。
【００８４】
また、炊飯後に、炊飯ユニット１０が加熱ユニット２０から取り外されたときに、図１７に示すように、操作パネル２２の表示部２２ｂに、利用者に注意を促す表示を点灯または点滅させるようにしてもよい。また、加熱部２１の温度を監視して、その温度が所定温度以下となった場合、表示を消灯するようにしてもよい。
【符号の説明】
【００８５】
１      炊飯器
１０    炊飯ユニット
１１    本体部
１１ｂ  凹部
１１ｆ  貫通孔（孔）
１２    蓋体
１２ａ  外蓋
１２ｂ  内蓋
１２ｄ  ヒンジ部（回動軸）
１３    ハンドル
１４    内釜（釜）
１６    磁石
２０    加熱ユニット
２１    加熱部
２１ａ  凸部
２１ｂ  上面
２１ｃ  突起部
２２    操作パネル
２３    制御回路収容部
２３ｃ  制御回路
２３ｄ  検出部
２３ｅ  端部（最外部）
２５    温度センサ
３３    断熱材
３８    伝熱板（伝熱部）
４０    冷却ファン
【図１】
2015231451.tif 000003
【図２】
2015231451.tif 000004
【図３】
2015231451.tif 000005
【図４】
2015231451.tif 000006
【図５】
2015231451.tif 000007
【図６】
2015231451.tif 000008
【図７】
2015231451.tif 000009
【図８】
2015231451.tif 000010
【図９】
2015231451.tif 000011
【図１０】
2015231451.tif 000012
【図１１】
2015231451.tif 000013
【図１２】
2015231451.tif 000014
【図１３】
2015231451.tif 000015
【図１４】
2015231451.tif 000016
【図１５】
2015231451.tif 000017
【図１６】
2015231451.tif 000018
【図１７】
2015231451.tif 000019